(57)【要約】【課題】電磁装置の配置スペースを小さくして回路遮断器を小型化でき、また、組立作業性を向上できる回路遮断器の電磁装置を提供する。【解決手段】回路遮断器１の電磁装置６は、電源側端子３と負荷側端子４間の主回路の一部を構成する導電体５を囲うように主板部７ａの対向する２辺に側板部７ｂを折曲して略コ字状に形成した固定電磁片７と、固定電磁片７の両側板部７ｂの端縁に接離自在に設けられた可動電磁片８と、可動電磁片８を固定電磁片７から離反するように付勢する板バネを用いた弾性部材９とで成り、弾性部材９は可動電磁片８の下端部に固定し、固定部９ａは可動電磁片８の幅方向両部から上方に延設して自由端９ｂが形成され、固定電磁片７の側板部７ｂに形成された突部７ｃに当接させて保持する。【選択図】図２
2010282912.tif 000002
【特許請求の範囲】
【請求項１】
回路遮断器の電源側端子と負荷側端子間の主回路の一部を構成する導電体を囲うように主板部の対向する２辺に側板部を折曲して略コ字状に形成した固定電磁片と、該固定電磁片の両側板部の端縁に接離自在に設けられた可動電磁片と、該可動電磁片を前記固定電磁片から離反するように付勢する弾性部材とで成る回路遮断器の電磁装置において、前記弾性部材は前記可動電磁片又は前記固定電磁片に取り付けられることを特徴とする回路遮断器の電磁装置。
【請求項２】
前記弾性部材は前記固定電磁片の両側板部の夫々に付勢することを特徴とする請求項１に記載の回路遮断器の電磁装置。
【請求項３】
前記弾性部材は板バネであり、該板バネを前記可動電磁片の下端部に固定し、該固定部を前記可動電磁片の幅方向に延設し折曲して支持部を形成し、該支持部にバネ側軸部を形成し、前記固定電磁片の側板部の下端部に設けた固定電磁片側軸部に前記バネ側軸部を枢着させて蝶番としたことを特徴とする請求項１又は請求項２に記載の回路遮断器の電磁装置。
【請求項４】
前記板バネの固定部を前記可動電磁片の上端側に延設して自由端を形成するとともに、前記固定電磁片の側板部の上端部に突部を突設し、前記板バネの自由端を前記固定電磁片の突部に当接させて、前記可動電磁片を前記固定電磁片の側板部の端縁から離反させたことを特徴とする請求項３に記載の回路遮断器の電磁装置。
【発明の詳細な説明】
【技術分野】
【０００１】
本発明は、短絡等によって主回路に過大電流が流れたときに動作して主回路を遮断するための回路遮断器の電磁装置に関する。
【背景技術】
【０００２】
従来、回路遮断器の電磁装置は、主板部の対向する２辺に側板部を折曲して略コ字状に形成した固定電磁片が電源側端子と負荷側端子間の主回路の一部を構成する導電体を囲うように設けられ、矩形板状の可動電磁片が固定電磁片の側板部の下端部に軸支されて両側板部の端縁に接離自在に設けられ、可動電磁片は固定電磁片から離反するように弾性部材により付勢されている。弾性部材としては引張コイルバネが用いられ、引張コイルバネの一端は可動電磁片の上部中央に係止され、他端は遮断器ケースに形成された係止部に係止するようにされていた（例えば、特許文献１参照。）。
【先行技術文献】
【特許文献】
【０００３】
【特許文献１】特開２００９−８７６９１号公報（図１）
【発明の概要】
【発明が解決しようとする課題】
【０００４】
このように従来の回路遮断器の電磁装置は、引張コイルバネを電磁装置の可動電磁片と遮断器ケースの係止部との間に設けるので回路遮断器内に大きなスペースを必要とし、回路遮断器の小型化が困難であった。また、引張コイルバネの一端を電磁装置の可動電磁片に係止させ、他端を遮断器ケースの係止部に係止させなければならないため、組み立てに手間がかかるという問題があった。
【課題を解決するための手段】
【０００５】
請求項１に記載の発明によれば、回路遮断器の電源側端子と負荷側端子間の主回路の一部を構成する導電体を囲うように主板部の対向する２辺に側板部を折曲して略コ字状に形成した固定電磁片と、固定電磁片の両側板部の端縁に接離自在に設けられた可動電磁片と、可動電磁片を固定電磁片から離反するように付勢する弾性部材とで成る回路遮断器の電磁装置において、弾性部材は可動電磁片又は固定電磁片に取り付けられることを特徴とする。
【０００６】
請求項２に記載の発明によれば、請求項１に記載の回路遮断器の電磁装置において、弾性部材は固定電磁片の両側板部の夫々に付勢することを特徴とする。
【０００７】
請求項３に記載の発明によれば、請求項１又は請求項２に記載の回路遮断器の電磁装置において、弾性部材は板バネであり、板バネを可動電磁片の下端部に固定し、固定部を可動電磁片の幅方向に延設し折曲して支持部を形成し、支持部にバネ側軸部を形成し、固定電磁片の側板部の下端部に設けた固定電磁片側軸部にバネ側軸部を枢着させて蝶番としたことを特徴とする。
【０００８】
請求項４に記載の発明によれば、請求項３に記載の回路遮断器の電磁装置において、板バネの固定部を可動電磁片の上端側に延設して自由端を形成するとともに、固定電磁片の側板部の上端部に突部を突設し、板バネの自由端を固定電磁片の突部に当接させて、可動電磁片を固定電磁片の側板部の端縁から離反させたことを特徴とする。
【発明の効果】
【０００９】
請求項１に記載の発明によれば、可動電磁片と回路遮断器内の部材との間にコイルバネを設けないので電磁装置の配置スペースを小さくできて回路遮断器を小型化することができ、また、組立作業性が向上するという効果がある。
【００１０】
請求項２に記載の発明によれば、可動電磁片の幅方向両部に均等に弾性部材の力がかかるので可動電磁片が傾くことなくスムーズに回動させることができるという効果がある。
【００１１】
請求項３に記載の発明によれば、請求項１又は請求項２に記載の発明の効果に加えて、弾性部材と蝶番を一体に形成するので部品点数を少なくすることができ、コストを低減することができる。また、組み立て工程が少なくなり、生産性が向上するという効果がある。
【００１２】
請求項４に記載の発明によれば、請求項３に記載の発明の効果に加えて、板バネを簡素な形状で構成することができるという効果がある。
【図面の簡単な説明】
【００１３】
【図１】本発明に係る回路遮断器の内部構造を示す側面図であり、電磁装置が動作する前の状態を示す。
【図２】本発明に係る電磁装置を示す斜視図である。
【図３】本発明に係る回路遮断器の内部構造を示す側面図であり、電磁装置が動作した状態を示す。
【図４】電磁装置の変形実施例を示す斜視図である。
【図５】電磁装置の変形実施例を示す側面図である。
【図６】電磁装置の変形実施例を示す側面図である。
【図７】電磁装置の変形実施例を示す側面図である。
【図８】電磁装置の変形実施例を示す側面図である。
【図９】電磁装置の変形実施例を示す側面図である。
【発明を実施するための形態】
【００１４】
回路遮断器の電磁装置は、電源側端子と負荷側端子間の主回路の一部を構成する導電体を囲うように主板部の対向する２辺に側板部を折曲して略コ字状に形成した固定電磁片と、固定電磁片の両側板部の端縁に接離自在に設けられた可動電磁片と、可動電磁片を固定電磁片から離反するように付勢する板バネを用いた弾性部材とで成り、弾性部材は可動電磁片の下端部に固定し、可動電磁片の幅方向両部から上方に延設して自由端が形成され、固定電磁片の側板部に形成された突部に当接させて保持する。
【実施例１】
【００１５】
本発明に係る回路遮断器の電磁装置の実施例１を図１〜図３の添付図面に基づいて説明する。
【００１６】
回路遮断器１は、遮断器ケース２の長手方向の一方側の端部に電源側端子３が設けられ、他方側の端部に負荷側端子４が設けられ、電源側端子３と負荷側端子４間は複数の導電性部材により電気的に接続されて主回路が構成されている。
【００１７】
電磁装置６は主回路の一部を構成する垂直方向に配置された導電体５を囲うように設けられ、主板部７ａの対向する２辺に側板部７ｂを折曲して略コ字状に形成された固定電磁片７と、固定電磁片７の両側板部７ｂに軸支されて両側板部７ｂの端縁に接離自在に設けられる可動電磁片８と、可動電磁片８を固定電磁片７から離反するように付勢する弾性部材９とで形成している。
【００１８】
弾性部材９には板バネが用いられ、可動電磁片８の外面の下端部に固定される。そして、固定部９ａは可動電磁片８の幅方向両部から可動電磁片８の上端側に延設して自由端９ｂが形成され、可動電磁片８は弾性部材９の自由端９ｂと対向する上端部分に切欠８ａが形成されている。また、固定電磁片７の側板部７ｂの上端には切欠８ａに対向して突部７ｃが形成されている。
【００１９】
弾性部材９は固定部９ａが可動電磁片８の幅方向に延設し折曲して支持部９ｃが形成され、支持部９ｃに孔が形成されてバネ側軸部９ｄが設けられている。また、固定電磁片７の側板部７ｂの下端部に突起が形成されて固定電磁片側軸部７ｄが設けられている。
【００２０】
弾性部材９のバネ側軸部９ｄを固定電磁片７の固定電磁片側軸部７ｄに枢着させることで蝶番を構成し、固定電磁片７に対して可動電磁片８を回動自在にしている。可動電磁片８は弾性部材９の自由端９ｂが固定電磁片７の突部７ｃに当接するとともに、可動電磁片８の外面が遮断器ケース２に形成された突壁２ａに当接して固定電磁片７の側板部７ｂの端縁から離反した状態で保持されている。
【００２１】
このように構成された電磁装置６は短絡等により導電体５に過大電流が流れると固定電磁片７が磁化し、可動電磁片８が弾性部材９の付勢力に抗し、弾性部材９の自由端９ｂを撓ませて固定電磁片７の側板部７ｂに吸着する。このとき、可動電磁片８の先端が引き外し部材１０を動作させ、引き外し部材１０が動作することで開閉機構部１１が動作して開閉接点１２を開離し、主回路が遮断する。
【００２２】
尚、本実施例において弾性部材の支持部に孔を形成してバネ側軸部を形成し、固定電磁片に突起を形成して固定電磁片側軸部を形成して蝶番を構成したが、例えば、支持部に突起を形成してバネ側軸部を形成し、固定電磁片に孔を形成して固定電磁片側軸部を形成して蝶番を構成してもよいし、支持部と固定電磁片の両方に孔を形成し、ピンで枢着して蝶番を構成してもよいし、図４に示すように可動電磁片８の下端部を幅方向に延設し、コ字状に折曲形成して支持部８ｂを形成し、可動電磁片８の支持部８ｂと固定電磁片７とをピン１３で枢着して蝶番を構成するなど、蝶番の構成について限定はない。
【００２３】
また、弾性部材の板バネは、例えば、図５に示すように可動電磁片８に固定した弾性部材９の固定部９ａから可動電磁片８の下端を覆うように自由端９ｂを延設し折曲して固定電磁片７の側板部７ｂの端縁に当接するようにしてもよいし、図６に示すように弾性部材９の蝶番部分とを別体に形成し、弾性部材９を略Ｌ字状に折曲し、固定電磁片７の側板部７ｂの下端に固定部９ａを固定し、自由端９ｂを可動電磁片８の内側に当接するようにしてもよく、形状を変更して実施することも可能である。
【００２４】
また、弾性部材９は板バネに限らず、圧縮コイルバネや引張コイルバネやねじりコイルバネなどでもよく、例えば、圧縮コイルバネの場合は図７に示すように固定電磁片７の側板部７ｂの端縁上部と可動電磁片８の上部間に設けたり、引張コイルバネの場合は図８に示すように固定電磁片７の下端部と可動電磁片８の下端部間に設けたり、ねじりコイルバネの場合は図９に示すように蝶番部分にコイル部分を固定して一端を固定電磁片７の側板部７ｂの端縁に係止し、他端を可動電磁片８の上部に係止させて設けることができる。
【符号の説明】
【００２５】
１    回路遮断器
５    導電体
６    電磁装置
７    固定電磁片
７ａ    主板部
７ｂ    側板部
７ｃ    突部
７ｄ    固定電磁片側軸部
８    可動電磁片
８ａ    切欠
９    弾性部材
９ａ    固定部
９ｂ    自由端
９ｃ    支持部
９ｄ    バネ側軸部
【図１】
2010282912.tif 000003
【図２】
2010282912.tif 000004
【図３】
2010282912.tif 000005
【図４】
2010282912.tif 000006
【図５】
2010282912.tif 000007
【図６】
2010282912.tif 000008
【図７】
2010282912.tif 000009
【図８】
2010282912.tif 000010
【図９】
2010282912.tif 000011